(57)【特許請求の範囲】
【請求項１】
ヒンジ部によって結合されて開閉自在となる、断面半円形状の第１溝部が設けられた第１クランプ部と、その第１溝部に対向して断面半円形状の第２溝部が設けられた第２クランプ部との前記２つの溝部に、締め付け型の円筒部と電線の端末を収納する部位とを有する介在部材を配設するステップと、
その介在部材の円筒部の中に前記電線を挿入するステップと、
前記２つのクランプ部の開部を締め付け部材によって締め付けて、前記介在部材を介して前記電線の端末を把持するステップと、を有することを特徴とする電線端末把持方法。
【発明の詳細な説明】
【技術分野】
【０００１】
本発明は、電力エネルギー分野において、送配電用として用いられる電線を把持するための装置に係り、とりわけ、電線端部を保護するために取り付けられる電線端末金具として好適な電線把持装置に関するものである。
【背景技術】
【０００２】
送配電用の電線は、電力エネルギーを供給するため、広い地域に長い距離に渡って張り渡されている。そのような電線を、電柱や鉄塔を経由させたり、各種の電設用機器を接続したりするときには、電線が切断される場合がよくある。切断された電線は端部が露出するので、その電線の端末部を保護することを目的として、その端末部に電線端末金具が取り付けられる。
【０００３】
送電分野を例に挙げると、送電線である裸線(ＡＣＳＲ)は鉄塔に引き留められて張架され、電線の切断が必要な場合は鉄塔上で行われることが多い。電線端末を処理するための電線端末金具としては、スリーブ形状やキャップ形状などを成した圧縮固定型の金属性金具が用いられる。
そのような金属性金具は、電線端末に被せられて、圧縮機を使用してその外周側から圧縮力が加えられ、断面六角形などの形状に圧縮変形させられて、電線の端末部と金属性金具とが固着される構造のものが一般的であった。
【０００４】
図４は、従来の電線端末金具の一例を示す図であり、電線６０は円筒形状の金属製の端末圧縮部材６２に電線６０の端部６０ｔが挿入されて、圧縮機を用いてその外周側から機械的な圧縮力が加えられて、断面六角形の形状に圧縮変形させられて、電線６０と端末圧縮部材６２とは機械的に固着される。
ここでの端末圧縮部材６２は、その両端が開いているスリーブ状(筒状)のものでもよいし、電線を挿入する側の片端のみが開いて他端が閉塞している、キャップ形状の物や円筒形状の容器状の物でもよい。
【発明の開示】
【発明が解決しようとする課題】
【０００５】
従来の図４のような圧縮固定型の電線端末金具を電線端末に適用する場合には、圧縮機の使用が不可欠であるが、送電線用の裸電線の切断作業は鉄塔上で行われることが多いため、比較的大型で重量がある圧縮機を、予め鉄塔上に持ち上げておかねばならない、という不便さがあった。
また、電線端部に圧縮固定型の端末金具を取り付ける圧縮施工を一旦行ったものについては、圧縮された電線の端部の変形や損傷がかなり大きいものがあるうえ、その施工をした後に電線と端末金具との分解することは通常不可能である。それでも、圧縮固定後に電線から端末金具を外したいという場合には、端末金具が固着された電線の部分を切断するという方策を行う必要がある。
【０００６】
本発明は、このような従来の端末金具が有していた問題点を解決とようとするものであり、大型で重い圧縮機が不要であり、施工（取り付け）後にも電線と端末金具との分解が容易に可能となり、電線に損傷を与えることなく把持することが可能で、取り付けと取り外しを行った場合にも、何度でも繰り返し使用ができる電線把持金具を提供することを目的としている。
【課題を解決するための手段】
【０００７】
（１）断面半円形状の第１溝部ｍ１が設けられた第１クランプ部１０と、その第１溝部ｍ１に対向して断面半円形状の第２溝部ｍ２が設けられた第２クランプ部２０とを、ヒンジ部１５によって結合して開閉自在となし、
締め付け型の円筒部３１を有する介在部材３０を前記２つの溝部(ｍ１,ｍ２)に配設して、その介在部材３０の円筒部３１の中に電線５０を挿入し、前記２つのクランプ部(１０,２０)の開部を締め付け部材４０によって締め付けて、前記介在部材３０を介して電線５０を把持する装置であって、
前記介在部材３０の円筒部３１は、その円筒形状の中心軸線上ｃ１から放射状に伸びる複数のスリット(Ｓ１〜Ｓ８)を備え、このスリット(Ｓ１〜Ｓ８)が締め付け時に締め代となる締め付け型構造を備える。
【０００８】
（２）(１)の電線把持装置において、
前記電線把持装置は、電線の端末に取り付けられる電線端末金具として構成される。
（３）(２)の電線把持装置において、
前記介在部材は、挿入された電線５０の端末を収納する部位(３２のｄ１)を備える。
【発明の効果】
【０００９】
本発明の電線把持装置では、介在部材の円筒部は、その円筒形状の中心軸線上から放射状に伸びる複数のスリットを備え、スリットが締め付け時に締め代となる締め付け型構造を備えているので、締め込み時には介在部材の円筒部が弾性体的に作用し、電線を２つのクランプ部との間の溝部に直接挟持して締め付ける従来の電線把持金具に比較して、電線への応力が低減され、締め付け力にも幅ができ、電線の損傷が減り、安定した把持力が得られる。
また、従来の圧縮固定型の電圧端末金具のように圧縮機が必要なく、電線と電線端末金具とは取り付けた後でも分解可能となり、電線に大きな損傷を与えることなく電線を把持する事が可能であり、何度も繰り返し使用ができる。
さらに、本発明の電線把持装置では、特殊な治工具の準備が不用であり、工事の簡略化や省力化が実現できる。
【発明を実施するための最良の形態】
【００１０】
以下、本発明による「電線把持装置」の実施の形態について、添付の図面を参照して説明する。ここで、図１は、本発明による電線把持装置の一実施形態にかかる図であり、図１(１)は電線端末把持装置Ａの外観を、図１(２)は介在金具３０を、図１(３)は介在金具３０を除いた電線端末把持装置Ａの構造を示す図であり、図２は、電線端末把持装置Ａによって電線を締め付ける様子を示す説明図、図３は電線端末把持装置Ａの介在部材３０の他の形態(３０ａと３０ｂ)を示す図である。
【００１１】
まず図１は、本発明による電線把持装置の一実施形態にかかるもので、電線締付型の電線端末把持装置Ａの構成を説明するための図である。図１(１)は電線端末金具Ａの外観図であり、右側の図を正面図とすれば左側の図は左側面図である。この電線端末金具Ａは、その構成部材として、第１クランプ部１０、第２クランプ部２０、そのヒンジ部１５、介在部材３０、締め付け部材４０を備えて、介在部材３０の中に電線５０を挿入して電線を把持する装置である。
【００１２】
図１(２)は、電線把持装置Ａの介在部材３０の外観図であり、右側の図を正面図とすれば左側の図は左側面図である。この介在部材３０は、円筒形状の円筒部３１と拡大径部３２とが中心軸線ｃ１を共通にして結合された形状からなる。
介在部材３０の円筒部３１は、均等な肉厚ｎ１と長さｎ２を有する円筒形状をなして、その内部には電線を挿入して配置するための電線挿入部ｄが設けられ、円筒部３１の中心軸線ｃ１上から放射状に均等分割されて伸びる８個のスリット(切れ目)を備える。
また、拡大径部３２は、円筒部３１の共通した中心軸線ｃ１を有する円盤形状または蓋体形状の部材であり、その内部には円筒部３１から挿通される電線端部を配置するための電線端部挿入部ｄ１が設けられ、また、電線端部挿入部ｄ１から外部に通じる通し孔ｄ２が設けられている。
【００１３】
図１(２)の円筒部３１では、放射状に均等分割させて配置した８個のスリット(Ｓ１〜Ｓ８)のうちの１つのスリットＳは、幅ｈ１、長さｈ２、円筒部３１と同じ肉厚ｎ１を有する寸法を有し、ここではスリットＳの長さｎ２が円筒部３１の長さｎ２に等しくなるように構成されている。
またも円筒部３１のスリットＳは、電線を中に入れて締め付けた時に、締め代となる部位であるため、設計に関しては大変重要な部位である。
【００１４】
図１では、介在部材３０の円筒部３１の長さ寸法ｎ２と、適用するクランプ部１０(２０)の幅寸法Ｈ１(図１(３)参照)とが等しいとしており、スリットＳ１〜Ｓ８を有する円筒部３１が第１クランプ部１０と第２クランプ部２０によって締め付けられるとき、スリットＳ１〜Ｓ８の長さｈ２方向の右側は開放端となっているので内側に変形して締まり易く、左側は開放拡大径部３２と一体的に連結されているので締まり難い、という構造となっている。
【００１５】
しかしながら、この電線端末金具Ａでは、第１クランプ部１０、第２クランプ部２０、ヒンジ部１５、締め付け部材４０の各構成部材が組み合わされて構成されており、第１クランプ部１０と第２クランプ部２０を締め付けたときに、スリットの長さｎ２の方向の左右の位置で寸法の変動を生じるような設計となっているので、拡大径部３２の側に連結した左側が締まり難いという構造であったとしても、右側寄りの締め付けによって、必要な締め代を確保することができる。
【００１６】
また、介在部材３０の円筒部３１における、左右の位置の締め込み度合いを調整するために、スリットが設けられた円筒部３１の中心軸ｃ１上の位置において、締め込み量の大きい方の右側の肉厚ｎ１を左側の肉厚ｎ１’よりも大きく設計することもできる。このようにすると、円筒部３１の外観形状は、右上がりの傾斜がついて、左側より右側にいくに従って肉厚ｎ１が増加する形状となり、いわゆる楔形の形状となる。
【００１７】
さらに、介在部材３０の円筒部３１の左右の肉厚ｎ１は均一としたときに、第１クランプ部１０の第１溝部ｍ１と第２クランプ部２０の第２溝部ｍ２とにより形成されるクランプ溝部の径Ｍの大きさを、中心軸ｃ１上にそって、左側より右側にいくに従ってクランプ溝部の径Ｍが小さくするようにして、クランプ溝部を楔形状に設計することも考えられる。
【００１８】
介在部材３０については種々の設計が可能である。
介在部材３０の材料としては、変形しやすい軟性の金属や樹脂などを用いると良い。
スリットについては、図１では放射状に均等８分割のスリットとしたが、２以上のスリットであればよく、締め代を得るためには放射線状でなくとも可能であるし、また均等分割でなくとも設計は可能である。
また、スリット間の幅ｈ１についても、その幅寸法は設計に基づいて適宜に選択できるもので、たとえば、スリット間の幅ｈ１(ｈ１〜ｈ８)が全部の同じものでもよいし、スリット間の幅(ｈ１〜ｈ８)ごとに変化させることもできる。
【００１９】
図１では、介在部材３０の円筒部３１の長さ寸法ｎ２と、クランプ部１０(２０)の幅寸法Ｈ１(図１(３)参照)とを等しくしているが、円筒部３１の長さ寸法ｎ２はクランプ部１０(２０)の幅寸法Ｈ１よりも大きくてもよいし、小さくてもよい。
また、図１においては、円筒部の長さ寸法ｎ２とスリットＳ１〜Ｓ８の長さｈ２とは同じにしているが、「円筒部の長さ寸法ｎ２＞スリット長さｈ２」とすることもでき、図３(１)の介在部材３０ａではそのような例を示したものである。
【００２０】
そして、図１では、介在部材３０が、円筒形状の円筒部３１と蓋体形状の拡大径部３２とが中心軸線ｃ１を共通にして結合された形状からなるものについて示してきたが、図３(２)の介在部材３０ｂは、円筒形状の円筒部３１ｂは同じではあるが、拡大径部を有してはおらず、円筒形状のままで、挿通された電線の端末が到達する円筒部３１ｂの端部ｄ３の端末収納部ｄ１を有し、そこで円筒部３１ｂが閉塞された構造となっている。
なお、この図３(２)では、電線の端末を挿通を停止させるための端末収納部ｄ１を有して円筒部３１ｂが閉塞された構造となっているが、円筒部３１ｂを閉塞させずに、管状体のままで使用することもできる。
【００２１】
図１(３)は、電線端末金具Ａにおいて、介在部材３０を除いて、第１クランプ部１０、第２クランプ部２０、締め付け部材４０の構成を示す説明図である。
第１クランプ部１０と第２クランプ部２０とは、ヒンジ部１５を介して結合して蝶番式開閉方式によった開閉自在とされ、第１クランプ部１０には断面半円形状の第１溝部ｍ１が設けられ、第２クランプ部２０にはその第１溝部ｍ１に対向して同じく断面半円形状の第２溝部ｍ２が設けられる。そして、第１溝部ｍ１と第２溝部ｍ２とにより形成されるクランプ溝部の径Ｍは、介在部材３０の円筒部３１が収納されるので、その外形寸法に合うように設計されている。
【００２２】
図１(３)の電線端末金具Ａにおいて、締め付け部材４０は、締め付け用のアイボルト４４とその回動部４５(支点、軸部)、ナット４６、皿座金４７、ワッシャー４８を備える。アイボルト４４は、第１クランプ部１０に回動部４５を支点として可動的に取り付けられ、第２クランプ部２０側に配置されたナット４６を緩めることにより、ヒンジ部１５(蝶番ピン)を軸心として、図１(３)の下方向に円弧状に回動移動(転倒)して、第１クランプ部１０と第２クランプ部２０との拘束が解かれて開閉が自在となっている。
【００２３】
図２は、電線端末金具Ａにおいて、第１クランプ部１０と第２クランプ部２０、介在部材３０、締め付け部材４０の構成部材によって、電線５０を締め付けて把持する様子を示す説明図である。
アイボルト４４は、第１クランプ部１０の回動部４５と、第２クランプ部２０側に配置されたナット４６の締め込みによって、第１クランプ部１０と第２クランプ部２０との間で締め込み力が発生され、介在部材３０が締め付けられる。
【００２４】
介在部材３０は、等しいスリット幅ｈ１を持つ８つのスリット(Ｓ１〜Ｓ８)を有し、またその円筒部３１の内部の形状は、適用する電線径に合わせて形成されている。これらのスリット幅ｈ１と、介在部材３０が介在された第１クランプ部１０と第２クランプ部２０との間の隙間Ｓｈとは、クランプ部(１０と２０)によって介在部材３０に締め付け力が与えられたときには、除々に小さな値に変化する寸法であって、クランプ部(１０と２０)間の距離は隙間Ｓｈであり、これが実質的な「締め代」となっている。
【００２５】
本願発明による電線把持装置において、クランプ部(１０と２０)間に配設される介在部材３０の電線を挟持する円筒部３１は適用電線径に合わせて孔明けされており、その円筒部３１を８箇所にスリット(切れ目)をもうけることにより、介在部材３０を介したそのクランプ部(１０と２０)間の隙間が締め代となり、電線を挿入後にその介在部材３０の円筒部３１の上から、クランプ(１０と２０)を装着して電線を把持するものである。
このような本願発明による電線把持装置では、電線の切断端末部を保護する目的により用いられていた従来の電線端末金具が圧縮機を使用し六角に圧縮する構造であったのに対して、圧縮機を用いないクランプによる把持方式を採用しているので、電線に大きな損傷を与えることなく把持することが可能であり、取り付け後の電線と装置との分解が可能となり、何度も繰り返し使用ができるものである。
また、特殊治工具の準備が不用であり、鉄塔上での本電線把持装置を取り付ける作業が容易となり、工事の簡略化、効率化に大いに寄与するものである。
【図面の簡単な説明】
【００２６】
【図１】本発明による電線把持装置の一実施形態にかかる図であり、図１(１)は電線端末把持装置Ａの外観を、図１(２)は介在金具３０を、図１(３)は介在金具３０を除いたときの電線端末把持装置Ａの構造を示す図である。
【図２】電線端末把持装置Ａによって電線を締め付ける様子を示す説明図である。
【図３】電線端末把持装置Ａの介在部材３０の他の形態を示す図である。
【図４】従来の電線端末金具の一例を示す図である。
【符号の説明】
【００２７】
Ａ      電線端末金具
１０    第１クランプ部
１５    ヒンジ部(蝶番ピン)
２０    第２クランプ部
３０    介在部材
３１    円筒部
３２    拡大径部
４０    締め付け部材
５０    電線
ｃ１    中心軸線
Ｓ１〜Ｓ８    スリット (切れ目)
ｈ１    スリットの幅ｈ１
ｄ１    電線端部挿入部
ｍ１    第１クランプ部１０の第１溝部
ｍ２    第２クランプ部２０の第２溝部
【図１】
0005150929.tif 000002
【図２】
0005150929.tif 000003
【図３】
0005150929.tif 000004
【図４】
0005150929.tif 000005